(57)【要約】【課題】ゴルフクラブを収納するゴルフバッグにおいて、大きめのパターヘッドが他のクラブのスムーズな出し入れを邪魔している。【解決手段】パタークラブ専用収納用の細円筒部一本をゴルフバッグ本体の側面に設け又は後付けし、プレー中や打ちっ放し練習場などで頻繁にクラブを取り替える必要のあるときにパタークラブをその細円筒部に退避・収納して、パタークラブ以外のクラブの出し入れに邪魔にならないようにする。【選択図】図１
2006000345.tif 000002
【特許請求の範囲】
【請求項１】
直径１センチメートルから１０センチメートルまでの間だで任意の内径と、３センチメートルからゴルフバッグ筒状本体と同程度までの間で任意の長さを持った細円筒部を、ゴルフバッグ筒状本体の側面に１本取り付けたゴルフバッグ。
【請求項２】
請求項１記載のゴルフバッグにおいて、バッグ筒状本体の底を二重底にしその一部に開閉できる蓋を取り付け、本体側面の細円筒部下側からパターヘッドを下側にして差し込んだとき、パターヘッドを二重底の空間に収容できるようにしたゴルフバッグ。
【請求項３】
直径１センチメートルから１０センチメートルまでの間で任意の内径と、３センチメートルから９０センチメートルまでの間で任意の長さを持つ筒状のもので、その筒状の一端にゴルフバッグ筒状本体の上部縁に引っ掛け固定するための鉤状引っ掛け部を持ち、その筒状の上下両端の間で１か所又は数か所ゴルフバッグに取り付け固定するためのベルト又はそれと同等の取り付け能力を持った装着部を備えた細円筒部。
【発明の詳細な説明】
【技術分野】
【０００１】
本発明はゴルフクラブをスムーズに出し入れしやすくするよう、パタークラブ専用収納用細円筒部を設けたゴルフバッグ及びゴルフバッグ後付部品としての細円筒部に関するものである。
【背景技術】
【０００２】
ゴルフバッグにおいてパタークラブと他のクラブとを一緒にバッグ本体筒に収容していると、多くの場合パタークラブはクラブの中で最も短くその大きめのパターヘッドが挿入口面積の相当部分を占拠するため、他のクラブのスムーズな出し入れを邪魔することがある。このことを解決しようとして、ゴルフバッグ筒状本体の側面に複数の細円筒部を取り付け、出し入れやゴルフクラブ相互に擦り合うことによる損傷を防止しようとする技術があるが、製造コストが増大する上クラブ出し入れがかなり面倒になりそうで実用性に乏しい。
【特許文献１】特願２００１−５３２８７２号
【発明の開示】
【発明が解決しようとする課題】
【０００３】
最近広く普及するようになったマレット型などソール面積の大きめのパタークラブを使用する場合は、ゴルフバッグ筒状本体挿入口仕切枠付近でパターヘッドが挿入口面積の相当部分を占めてしまい、さらに他のクラブのシャフトを傷つけないようパターヘッドカバーを装着している場合は、ますます他のクラブの出し入れがしにくくなる。
【課題を解決するための手段】
【０００４】
直径１センチメートルから１０センチメートルまでの間で任意の内径と、３センチメートルからゴルフバッグ筒状本体と同程度までの間で任意の長さを持った細円筒部を、ゴルフバッグ筒状本体の側面に１本取り付けたゴルフバッグを提供する。（請求項１）
【０００５】
前項記載のゴルフバッグにおいて、バッグ筒状本体の底を二重底にしその一部に開閉できる蓋を取り付け、本体側面の細円筒部下側からパターヘッドを下側にして差し込んだとき、パターヘッドを二重底の空間に収容できるようにしたゴルフバッグを提供する。（請求項２）
【０００６】
直径１センチメートルから１０センチメートルまでの間で任意の内径と、３センチメートルから９０センチメートルまでの間で任意の長さを持つ筒状のもので、その筒状の一端にゴルフバッグ筒状本体の上部縁に引っ掛け固定するための鉤状引っ掛け部を持ち、その筒状の上下両端の間で１か所又は数か所ゴルフバッグに取り付け固定するためのベルト又はそれと同等の取り付け能力を持った装着部を備えた細円筒部を、ゴルフバッグ後付部品として提供する。（請求項３）
【発明の効果】
【０００７】
プレー中や打ち放し練習場などで頻繁にクラブを取り替える必要のあるときは、パタークラブだけを側面に設けた又は後付けした専用の細円筒部に退避・収納することで、パターヘッドが他クラブの出し入れを邪魔することはなくなり、かつ細円筒部に退避させただけなのでパタークラブをどこかに置き忘れる恐れもない。
【０００８】
パタークラブはプレー中使用頻度の最も高いクラブであるが、使用しているパタークラブのソール面積が小さくて長さがゴルフバッグの長さより短い場合、バッグ筒状本体挿入口仕切枠又はその下にパタークラブがもぐり込んでしまうこともあってまことに取り出しづらい。それに対し、本発明の細円筒部を活用すれば楽にパタークラブを取り出すことができる。
【０００９】
請求項２に記載する細円筒部においては、プレー中はパターヘッドを上にして細円筒部に退避・収容するものの、プレー終了後はパターヘッドを下向きにして前記細円筒部と二重底部分に収容・保管するため、パタークラブを筒状本体内に収容する場合に較べてパターヘッドの占めていた面積分だけ筒状本体の内径断面積を小さくすることができる。
【発明を実施するための最良の形態】
【００１０】
請求項１、請求項２及び請求項３に記載する細円筒部において、その挿入口をわずかにラッパ状に開くようにするとともに、やや斜めにカットし挿入口縁の低くなった方を外向きにすることで、パタークラブを収容したときそのヘッド重量によりパターヘッドフェイス面が筒状本体に向き易くなり、筒状本体の挿入口にパターヘッドが侵入しないようにしている。
【００１１】
図１又は図３の細円筒部にみるように、上部挿入口をわずかにラッパ状に開かせると、クラブを挿入し易くなる。
【００１２】
前項の細円筒部において、いずれの請求項でも１センチメートルから１０センチメートルまでの間で任意の内径と指定している。しかし内径４センチメートル程度までは細円筒部の断面は円の形状として問題はないが、それを超えるあたりから徐々に楕円に扁平させるようにすると、筒状本体側面から細円筒部が外側に突き出るマイナスを緩和させることができる。
【００１３】
請求項２に記載する細円筒部においてその下端はバッグ二重底部分で開閉できる蓋に達するまでクラブが突き抜けるようになっている。それに対し、請求項１及び請求項３に記載する細円筒部においては、細円筒の下端に取り外しのできる栓を取り付た物は、細円筒部の底に溜まるゴミなども栓を取り外せば取り除き易くなる。さらに、パターシャフトの長さが細円筒部上端からゴルフバッグ最下端までの長さより長い場合に、栓がなければ細円筒部を突き抜けたパタークラブのグリップエンドが地面に接して汚れる恐れがあるが、栓があればそのようなことにはならない。
【００１４】
請求項２に記載する細円筒部においてパタークラブを長期保管するため二重底内にヘッドを収容した時、図３に見るようにパターヘッドフェイス面は必然的に筒状本体に対して外向きになる。
【実施例】
【００１５】
請求項１，請求項２及び請求項３に記載する細円筒部の取り付け位置は、ゴルフバッグ筒状本体の肩掛けベルトのある位置を正面とすると、左右面、裏正面、肩掛けベルトのすぐ脇などが考えられるが、本発明では特定せず任意とする。
【００１６】
請求項２に記載する細円筒部においては、パタークラブのライ角度により右打ち用と左打ち用が全く逆向きになるため、その両方に対応する方法は２つある。１つ目はゴルフバッグを立てたときその細円筒部は下端部が最も細く上部にかけてわずかに扇状に広げ、その断面が楕円になるようにする方法、２つ目は二重底の高さを充分にとって右打ち用又は左打ち用どちらの場合でもパターでも収納し易くする方法があり、その二つの方法の選択は任意とする。
【００１７】
請求項３に記載する細円筒部における筒状本体に固定するために最上端にある鉤状引っ掛け部以外の装着部としては、ベルト、両面接着テープ、マジックテープ（登録商標）など様々なものが考えられるが、本発明では種類、個数とも特定せず任意なものとする。
【００１８】
請求項１及び請求項３に記載する細円筒部においては、その長さを３センチメートルからゴルフバッグ筒状本体と同程度までの間又は３センチメートルから９０センチメートルまでの間で任意の長さと幅広く指定している。しかし前記両方とも短くすればするほど耐久性に問題が生じる可能性があり、ゴルフバッグ正面に取り付けられる袋ポケット状小物入れと筒状本体との間に空間が開けてあるタイプなどで、その空間に細円筒部からはみ出したシャフトが収まるような場合のみ初めて短めの長さを採用できる。
【００１９】
請求項３に記載する細円筒部においては、その素材について本発明としては特定せず任意なものとする。
【図面の簡単な説明】
【００２０】
【図１】ゴルフバッグの斜視図である。
【００２１】
【図２】ゴルフバッグの底側から見た斜視図である。
【００２２】
【図３】後付け用細円筒部の斜視図である。
【符号の説明】
【００２３】
１  ゴルフバッグ本体
２  細円筒部
３  栓
４  ゴルフバッグ本体
５  細円筒部
６  二重底の開閉蓋
７  細円筒部にパターヘッドを下側にして収納保管されたパタークラブ
８  ゴルフバッグに後付けする細円筒部  
９  鉤状引っ掛け部
１０  固定用ベルト
１１  栓
【図１】
2006000345.tif 000003
【図２】
2006000345.tif 000004
【図３】
2006000345.tif 000005